(57)【要約】【課題】            従来開閉扉を有するケーシングに挿通されている回転軸は片持ち支持とされているため、負荷、即ち、上下の圧力差によってその支持状態が歪められてしまい、円滑な作動が損なわれ、部品が損傷してしまうこともあったという点である。【解決手段】        回転軸の支承構造は側面に開閉扉を有するケーシングを有し、そのケーシング内に挿通され、ロータを装着された回転軸であって、その回転軸の開閉扉側となる遊端面に形成された受穴に、前記開閉扉内に設けられ先端を裁頭錐状とした支持軸を嵌合させ、かつ、その支持軸に対し、回転軸の軸芯方向となる附勢力を与える附勢手段を備えていることとする。【選択図】          図１
2008082450.tif 000002
【特許請求の範囲】
【請求項１】
側面に開閉扉を有するケーシングを有し、そのケーシング内に挿通され、ロータを装着された回転軸であって、その回転軸の開閉扉側となる遊端面に形成された受穴に、前記開閉扉内に設けられ先端を裁頭錐状とした支持軸を嵌合させ、かつ、その支持軸に対し、回転軸の軸芯方向となる附勢力を与える附勢手段を備えていることを特徴とする回転軸の支承構造。
【請求項２】
前記した支持軸の後方は大径部とされ、その大径部内を中空室とし、その中空室内に前記附勢手段としての皿バネあるいはコイルスプリング等の弾性体を収容し、その皿バネあるいはコイルスプリング等の弾性体の中心に、バネ受部を形成したバネガイドの先端軸を挿通し、前記した皿バネあるいはコイルスプリング等の弾性体は前記バネガイドのバネ受部と大径部の段部内壁面間に弾設されることを特徴とする請求項１に記載の回転軸の支承構造。
【請求項３】
前記した中空室の前端面には前記したバネ押え部材の先端軸の突端を受ける受凹穴を形成するとともに、前記大径部の外周壁面にストッパ壁を環状に備え、かつ、そのストッパ壁を挟んだ位置に一対のベアリングを配し、その一対のベアリングはスペーサで連結されていることを特徴とする請求項１または請求項２に記載の回転軸の支承構造。
【請求項４】
前記した支持軸の外方には前記した開閉扉に対してベアリング押えが固着され、そのベアリング押えを貫通して皿バネあるいはコイルスプリング等の弾性体の附勢力を調整するボルトがその先端をバネガイドの後面に配された軸押えの後端面に当接させて備えられていることを特徴とする請求項１、請求項２または請求項３に記載の回転軸の支承構造。
【請求項５】
前記したバネガイドと軸押えの間には中空室の内周壁面と摺接するベアリングが介在されていることを特徴とする請求項１、請求項２、請求項３または請求項４に記載の回転軸の支承構造。
【発明の詳細な説明】
【技術分野】
【０００１】
本発明は回転軸の支承構造、特に開閉扉を有するケーシング内に回転軸を挿通し、その回転軸にロータを装着してあるロータリーベーンフィーダ（ロータリーバルブ）等における回転軸の支承構造に関する。
【背景技術】
【０００２】
従来、上記したロータリーベーンフィーダにあってはケーシングの上面に被処理物となる粉等の投入口が設けられ、下面にその排出口が形成され、そのケーシングの側面には内部点検や清掃、そして周囲にベーンを備えたロータを取り外したり、装着するための開閉扉が設けられている。
【０００３】
前記したロータはモータを駆動源として回転する回転軸に装着されるが、その回転軸は、前記した開閉扉と対向する側からケーシング内に挿通されたものとなっており、その回転軸の先端は遊端となり、ケーシング内にあって片持ち支持状態となっている。
【０００４】
そのため、ロータ、特にベーンに対し、上方から被処理物が投入され、重量が加えられると、経時によってそのロータが装着されている回転軸は、前記した被処理物の重量負荷、特に高圧、中圧の負荷によって押され、ケーシングへの挿通部分において角度が変位され、回転軸とその挿入口との間で歪みが生じ、回転軸およびケーシングの挿入口に損傷を生じてしまう虞があった。
【特許文献１】実開平２−９６４８４号公報
【発明の開示】
【発明が解決しようとする課題】
【０００５】
本発明が解決ようとする問題点は、従来開閉扉を有するケーシングに挿通されている回転軸は片持ち支持とされているため、負荷、即ち、上下の圧力差によってその支持状態が歪められてしまい、円滑な作動が損なわれ、部品が損傷してしまうこともあったという点である。
【課題を解決するための手段】
【０００６】
上記した問題点を解決するために、本発明に係る回転軸の支承構造は側面に開閉扉を有するケーシングを有し、そのケーシング内に挿通され、ロータを装着された回転軸であって、その回転軸の開閉扉側となる遊端面に形成された受穴に、前記開閉扉内に設けられ先端を裁頭錐状とした支持軸を嵌合させ、かつ、その支持軸に対し、回転軸の軸芯方向となる附勢力を与える附勢手段を備えていることを特徴としている。
【０００７】
また、本発明に係る回転軸の支承構造は前記した支持軸の後方は大径部とされ、その大径部内を中空室とし、その中空室内に前記附勢手段としての皿バネあるいはコイルスプリング等の弾性体を収容し、その皿バネあるいはコイルスプリング等の弾性体の中心に、バネ受部を形成したバネガイドの先端軸を挿通し、前記した皿バネあるいはコイルスプリング等の弾性体は前記バネガイドのバネ受部と大径部の段部内壁面間に弾設されることを特徴としている。
【０００８】
さらに、本発明に係る回転軸の支承構造は前記した中空室の前端面には前記したバネ押え部材の先端軸の突端を受ける受凹穴を形成するとともに、前記大径部の外周壁面にストッパ壁を環状に備え、かつ、そのストッパ壁を挟んだ位置に一対のベアリングを配し、その一対のベアリングはスペーサで連結されていることを特徴としている。
【０００９】
そして、本発明に係る回転軸の支承構造は前記した支持軸の外方には前記した開閉扉に対してベアリング押えが固着され、そのベアリング押えを貫通して皿バネあるいはコイルスプリング等の弾性体の附勢力を調整するボルトがその先端をバネガイドの後面に配された軸押えの後端面に当接させて備えられていることを特徴とし、前記したバネガイドと軸押えの間には中空室の内周壁面と摺接するベアリングが介在されていることを特徴としている。
【発明の効果】
【００１０】
本発明に係る回転軸の支承構造は上記のように構成されている。そのため、ケーシングの開閉扉を閉めた状態で回転軸はその遊端面を支持軸で支承され、両持ち状態となるので、被処理物の負荷等によってその軸位置が変位させられてしまう虞がなくなる。また、支持軸は附勢手段で回転軸に押し付けられるので、その支承力は強固なものとなり、その支持軸の先端構造や附勢手段の圧縮で、開閉扉の開閉に支障が生じてしまうこともないものとなっている。
【発明を実施するための最良の形態】
【００１１】
図面として示す実施例のように構成することで実現した。
【実施例１】
【００１２】
次に、本発明の好ましい実施の一例を図面を参照して説明する。図１は本発明を実施したロータリーベーンフィーダの要部を示す拡大断面図、図２は同じくロータリーベーンフィーダの半断正面図、図３は同じく全体の断面図、図４は同じく平面図、図５は同じく軸封部の詳細断面図である。
【００１３】
これらの図にあって１はケーシングを示しており、このケーシング１の上面には粉等の被処理物の投入口１ａが開口され、下面には、その被処理物の排出口１ｂが開口されているもので、この投入口１ａと排出口１ｂはケーシング１内で連通されたものとされている。
【００１４】
このケーシング１内には回転軸３の先端部分が横切るように挿通されており、その回転軸３にはケーシング１内において、周囲に複数のベーン２、２‥を放射状に備えたロータ２ａが嵌め付け装着されている。このロータ２ａは図２に示した矢印方向に回転されるもので、ベーン２の先端一方側にテーパを形成した構成となっている。
【００１５】
また、前記した回転軸３はケーシング１内への挿通側にあってケーシング１の外面に固設された軸受ボックス４内を貫通し、その外方端は減速機１３と連結されているもので、この減速機１３は回転軸３の回転駆動源となるモータ３６と接続されている。
【００１６】
この回転軸３は軸受ボックス４内にあって、ケーシング１の外側面と接するシールリング５が装着され、そのシールリング５の外側には隣接させてランタンリング（軸封環）３２が装着され、そのランタンリング３２の外側にはグランドパッキン６が装着されている。そして、この最外となるグランドパッキン６はフランジを有する円筒状のグランドパッキン押え７を、そのフランジを軸受ボックス４の内壁面にネジ７ａ、７ａ‥で固着することにより押え位置決めされている。また、前記したランタンリング３２に対しては外部から圧縮空気供給口３７が臨まされており、このランタンリング３２に圧縮空気を送り込むことで、ランタンリング３２内の圧力を正圧に保ち、ケーシング内から被処理物である粉等が侵入してしまうことを防止している。
【００１７】
前記した軸受ボックス４はその略中程に中心で回転軸３を挿通させる仕切り壁４ａが設けられており、その仕切り壁４ａの挿通口部分にはベアリング８が設けられている。また、軸受ボックス４の外方端にはフランジ４ｂが形成され、回転軸３はそのフランジ４ｂの挿通孔も貫通して前記減速機１３と連結されるが、このフランジ４ｂの挿通孔にもベアリング１１が設けられている。
【００１８】
また、軸受ボックス４のフランジ４ｂと減速機１３との間にはモータベース１２が介在されている。さらに、軸受ボックス４の仕切り壁４ａ及びフランジ４ｂの内面側では回転軸３を囲むように各々スペーサ９、９を介して菊ナットとワッシャー１０が装着されている。なお、図中３０は軸受ボックス４とケーシング１との間に設けられたＯリングである。
【００１９】
一方、ケーシング１の他方側には開閉扉１５が設けられており、この開閉扉１５を閉じた状態でその内面に回転軸３の遊端面が当接されることとなる。この開閉扉１５の内面にはロータ２ａを位置決めするロータセット１４がＯリング１９を介在させて備えられている。また、この開閉扉１５とケーシング１との当接面にもＯリング１６が設けられている。
【００２０】
この開閉扉１５の収容室１５ａ内には、先端を回転軸３の遊端面中央に設けられ、断面台形状をした受穴３ａに嵌合させる支持軸２０が備えられている。この支持軸２０の先端は前記受穴３ａと気密に嵌合する裁頭円錐状とされている。
【００２１】
この支持軸２０の後半は大径部２０ａとされ、その大径部２０ａ内は後方を開放した中空室２０ｂとされている。また、支持軸２０の前半には大径部２０ａの前面と当接させた止輪３５が取り付けられ、最前部分にはシールリング２１が取り付けられている。このシールリング２１と止輪３５に挟まれた部分には、前方にランタンリング３３を配し、その後方にオイルシール２２を配しているもので、このランタンリング３３に対しては、前記したと同様に圧縮空気供給口３７が臨まされている。
【００２２】
前記した中空室２０ｂ内にはバネガイド３４がスライド可能に収納されており、このバネガイド３４の後端に形成されたフランジ状のバネ受部と中空室２０ｂの前面壁間に支持軸２０を前方へ附勢する皿バネ２９が弾設されているもので、バネガイド３４の先端軸がガイドとして、その皿バネの中心部分に挿通されている。また、中空室２０ｂの前面壁の中央にはバネガイド３４の先端軸の前端が嵌合される受穴２０ｃが形成されている。
【００２３】
また、バネガイド３４の後方にはややスペースをあけて軸押え２６が中空室２０ｂ内に嵌装されており、この軸押え２６とバネガイド３４の後端間にはベアリング２５が設けられている。さらに、大径部２０ａの外表面にはスペーサリング２７で間隔を保持された一対のベアリング２３、２４が設けられている。そして、大径部２０ａの外表面の中程にはストッパ突起２０ｄが環状に一体形成されており、支持軸２０のスライドをこのストッパ突起２０ｄとベアリング２３、２４によって制御している。即ち、支持軸２０の開閉扉１５を開けた際の前方へのスライドはベアリング２３にストッパ突起２０ｄが係合して規制することとなる。
【００２４】
さらに、開閉扉１５の外方端面には前記したベアリング２４を直接的に押えるベアリング押え２８がネジ２８ａ、２８ａ‥によって固着されている。このベアリング押え２８の中心部分では前記した皿バネ２９の附勢力を調整する調整ボルト３８が挿通されて備えられ、この調整ボルト３８の前端面は中空室２０ｂ内の軸押え２６の後端面と当接され、これを押圧している。３８ａは調整ボルト３８を固定するナットである。
【００２５】
また、図中１７は開閉扉のガイドを示し、１８は操作ハンドルを示している。３１はこのハンドル１８の操作によってＯＮ、ＯＦＦするリミットスイッチである。
【００２６】
本発明に係る回転軸の支承構造は上記のように構成されている。ここで、その作用を説明すると、まず、調整ボルト３８を操作して軸押え２６を押圧し、共にバネガイド３４をスライドさせて、その先端軸を受穴２０ｃに嵌め合わせる。これによって皿バネ２９は圧縮され、支持軸２０に対して十分な附勢力が蓄えられる。開閉扉１５を開いた状態で、この調整を行なえば、支持軸２０が収容室１５ａ内で前進するが、この前進はベアリング２３にストッパ突起２０ｄが係合することで制御される。ここで、開閉扉１５を閉めると、支持軸２０の先端構造と回転軸３の受穴３ａの構造によって支持軸２０の先端は、その受穴３ａに気密に嵌合され、回転軸３は両持ち状態とされる。開閉扉１５を開けるときは、支持軸２０の先端が受穴３ａから外れ、その支持軸２０は前進状態となるがやはり、前記したストップ機構により制御されることとなる。
【産業上の利用可能性】
【００２７】
本実施例に係る回転軸の支承構造は上記のように構成される。この実施例はロータリーベーンフィーダについてのものであるが、これに限らず片持ち状態となる回転軸の支承には幅広く応用実施することができ、附勢手段としての皿バネもコイルスプリングをはじめ、屈曲させた板バネやゴム等でも代替することも可能である。
【図面の簡単な説明】
【００２８】
【図１】本発明を実施したロータリーベーンフィーダの要部を示す拡大断面図である。
【図２】ロータリーベーンフィーダの半断正面図である。
【図３】全体の断面図である。
【図４】平面図である。
【図５】軸封部の詳細断面図である。
【符号の説明】
【００２９】
１      ケーシング
２      ベーン
２ａ    ロータ
３      回転軸
４      軸受ボックス
５      シールリング
６      グランドパッキン
７      グランド押え
８      ベアリング
９      スペーサ
１０    菊ナット及びワッシャー
１１    ベアリング
１２    モータベース
１３    減速機
１４    ロータセット
１５    開閉扉
１５ａ  収容室
１６    Ｏリング
１７    開閉扉ガイド
１８    ハンドル
１９    Ｏリング
２０    支持軸
２０ａ  大径部
２０ｂ  中空室
２０ｃ  受穴
２０ｄ  ストッパ突起
２１    シールリング
２２    オイルシール
２３    ベアリング
２４    ベアリング
２５    ベアリング
２６    軸押え
２７    スペーサ
２９    皿バネ
３０    Ｏリング
３１    リミットスイッチ
３２    ランタンリング
３３    ランタンリング
３４    バネガイド
３５    止輪
３６    モータ
３７    圧縮空気供給口
３８    調整ボルト
【図１】
2008082450.tif 000003
【図２】
2008082450.tif 000004
【図３】
2008082450.tif 000005
【図４】
2008082450.tif 000006
【図５】
2008082450.tif 000007